【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
少なくとも２層の透明なガラス層を、透明で固体状のガラスでない中間層または空気の空洞により分離されている隣接するガラス層と供に備えた積層ガラスであって、少なくとも１つの前記透明でガラスでない中間層または前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする積層ガラス。
【請求項２】
少なくとも１層の透明なガラス層と少なくとも１層の透明なポリマー層と、透明でガラスでない中間層または空気の空洞により分離されている隣接するガラス層、隣接する透明なポリマー層、および隣接するガラス層と透明なポリマー層とを供に備えた積層ガラスであって、少なくとも１つの前記透明でガラスでない中間層または前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする積層ガラス。
【請求項３】
請求項１に記載の積層ガラスを備えた光る階段踏板またはフロアタイルであって、前記デバイスが、この踏板を踏む足の圧力を検出して前記デバイスにより生成されるイルミネーションを前記圧力の有無に応じて変化させる圧力センサーをさらに備えることを特徴とする光る階段踏板またはフロアタイル。
【請求項４】
請求項１に記載の積層ガラスを備えることを特徴とする、光る階段蹴込板、階段手すり、フロアタイル、インテリアパティション、または安全標識。
【請求項５】
請求項２に記載の積層ガラスを備えた光る階段踏板またはフロアタイルであって、前記デバイスが、この踏板を踏む足の圧力を検出して前記デバイスにより生成されるイルミネーションを前記圧力の有無に応答して変化させる圧力センサーをさらに備えることを特徴とする、光る階段踏板またはフロアタイル。
【請求項６】
請求項２に記載の積層ガラスを備えることを特徴とする、光る階段蹴込板、階段手すり、フロアタイル、インテリアパティション、または安全標識。
【請求項７】
空気の空洞が内部に存在する中空の構造用のガラスブロックであって、前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする中空の構造用のガラスブロック。
【請求項８】
ｎ層の透明なガラス層とｎ−１層の透明で固体状のガラスでない中間層とを備えた構造用の積層ガラスブロックであって、ｎ≧２であり、すべての前記透明ガラス層およびすべての前記透明で固体状のガラスでない中間層が、本質的に同一の辺寸法を有し、隣接する前記透明なガラス層が、前記透明で固体状のガラスでない中間層のうちの１つにより分離されており、かつ前記透明なガラス層および透明で固体状のガラスでない中間層のうちの少なくとも１つが、前記構造用の積層ガラスブロックの２つの隣接した面で他の前記層を越えて伸びているように配置されていることを特徴とする構造用の積層ガラスブロック。
【請求項９】
請求項８に記載のいずれかの構造用の積層ガラスブロックを備えることを特徴とする、ガラス壁または窓。
【請求項１０】
請求項８に記載の構造用の積層ガラスブロックを備えることを特徴とする、ガラス壁または窓。
【請求項１１】
（ａ）安全上の問題の存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする安全イルミネーションシステム。
【請求項１２】
（ａ）煙の存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする煙を検出する安全イルミネーションシステム。
【請求項１３】
（ａ）ガスの存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とするガスを検出する安全イルミネーションシステム。
【請求項１４】
（ａ）動きの存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする動きを検出する安全イルミネーションシステム。
【請求項１５】
（ａ）光を感知するデバイスを備えたセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする停電を検出する安全イルミネーションシステム。
【手続補正２】
【補正対象書類名】明細書
【補正対象項目名】００４４
【補正方法】変更
【補正の内容】
【００４４】
（実施例１２）
本発明の停電を検出する安全イルミネーションシステムの一例は、階段に供される透明な（たとえば、本願特許出願人から入手可能なＳｅｎｔｒｙＧｌａｓ  Ｐｌｕｓ（登録商標）安全ガラス積層体）手すり柱または階段材料に一体化されたＯＬＥＤベースのイルミネーションデバイス、およびセンサー（独立型電池作動式の光を感知するデバイス）からイルミネーションデバイスに無線接続するための統合されたセンサー電子部品である。光を感知するデバイスが作動すると、イルミネーションデバイスは、低イルミネーションから高イルミネーションに切り換わる。光を感知するデバイスは、個別のデバイスであってもよいし、透明な手すり柱または階段材料に一体化されたものであってもよい。
本発明は以下の実施の態様を含むものである。
１．少なくとも２層の透明なガラス層を、透明で固体状のガラスでない中間層または空気の空洞により分離されている隣接するガラス層と供に備えた積層ガラスであって、少なくとも１つの前記透明でガラスでない中間層または前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする積層ガラス。
２．前記デバイスが、前記固体状態のライティングを制御して前記固体状態のライティングにより一連の画像を表示させるようにプログラムされたマイクロプロセッサーチップをさらに備えることを特徴とする前記１に記載の積層ガラス。
３．外装用の窓または壁として使用される積層ガラスであって、前記デバイスが、光センサーと、液晶表示フィルムと、前記液晶表示フィルムの半透明性を制御する手段とを備えることにより、前記センサーに当たる外部光の強度が増加したときに前記手段が前記液晶表示フィルムの前記半透明性を減少させ、前記センサーに当たる前記外部光の強度が減少したときに前記手段が前記液晶表示フィルムの前記半透明性を増大させて内部のさまざまな濃淡を提供することを特徴とする前記１に記載の積層ガラス。
４．外装用の窓または壁として使用される積層ガラスであって、前記デバイスが、光センサーと、懸濁粒子デバイスフィルムと、前記懸濁粒子デバイスフィルムの半透明性を制御する手段とを備えることにより、前記センサーに当たる外部光の強度が増加したときに前記手段が前記懸濁粒子デバイスフィルムの前記半透明性を減少させ、前記センサーに当たる前記外部光の強度が減少したときに前記手段が前記懸濁粒子デバイスフィルムの前記半透明性を増大させて内部のさまざまな濃淡を提供することを特徴とする前記１に記載の積層ガラス。
５．従来の積層ガラスの二重窓の形態の積層ガラスであって、前記デバイスが、前記従来の積層ガラスの二重窓の前記空気の空洞内に収容されており、かつ前記デバイスが、
ａ）光電池に当たった太陽エネルギーを電気エネルギーに変換する光電池と、
ｂ）前記電気エネルギーを貯蔵する薄膜電池と、
を備えることを特徴とする前記１に記載の積層ガラス。
６．少なくとも１層の透明なガラス層と少なくとも１層の透明なポリマー層と、透明でガラスでない中間層または空気の空洞により分離されている隣接するガラス層、隣接する透明なポリマー層、および隣接するガラス層と透明なポリマー層とを供に備えた積層ガラスであって、少なくとも１つの前記透明でガラスでない中間層または前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする積層ガラス。
７．前記固体状態のライティングを制御して前記固体状態のライティングにより一連の画像を表示させるようにプログラムされたマイクロプロセッサーチップが、積層ガラスの外部に配設されていることを特徴とする前記６に記載の積層ガラス。
８．外装用の窓または壁として使用される積層ガラスであって、前記デバイスが、光センサーと、液晶表示フィルムと、前記液晶表示フィルムの半透明性を制御する手段とを備えることにより、前記センサーに当たる外部光の強度が増加したときに前記手段が前記液晶表示フィルムの前記半透明性を減少させ、前記センサーに当たる前記外部光の強度が減少したときに前記手段が前記液晶表示フィルムの前記半透明性を増大させて内部のさまざまな濃淡を提供することを特徴とする前記６に記載の積層ガラス。
９．外装用の窓または壁として使用される積層ガラスであって、前記デバイスが、光センサーと、懸濁粒子デバイスフィルムと、前記懸濁粒子デバイスフィルムの半透明性を制御する手段とを備えることにより、前記センサーに当たる外部光の強度が増加したときに前記手段が前記懸濁粒子デバイスフィルムの前記半透明性を減少させ、前記センサーに当たる前記外部光の強度が減少したときに前記手段が前記懸濁粒子デバイスフィルムの前記半透明性を増大させて内部のさまざまな濃淡を提供することを特徴とする前記６に記載の積層ガラス。
１０．前記２〜５のいずれか１つに記載の積層ガラスを備えた光る階段踏板またはフロアタイルであって、前記デバイスが、この踏板を踏む足の圧力を検出して前記デバイスにより生成されるイルミネーションを前記圧力の有無に応じて変化させる圧力センサーをさらに備えることを特徴とする光る階段踏板またはフロアタイル。
１１．前記１に記載の積層ガラスを備えることを特徴とする、光る階段蹴込板、階段手すり、フロアタイル、インテリアパティション、または安全標識。
１２．前記６に記載の積層ガラスを備えた光る階段踏板またはフロアタイルであって、前記デバイスが、この踏板を踏む足の圧力を検出して前記デバイスにより生成されるイルミネーションを前記圧力の有無に応答して変化させる圧力センサーをさらに備えることを特徴とする、光る階段踏板またはフロアタイル。
１３．前記６に記載の積層ガラスを備えることを特徴とする、光る階段蹴込板、階段手すり、フロアタイル、インテリアパティション、または安全標識。
１４．空気の空洞が内部に存在する中空の構造用のガラスブロックであって、前記空気の空洞が、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする中空の構造用のガラスブロック。
１５．前記デバイスが、前記固体状態のライティングを制御して前記固体状態のライティングにより一連の画像を表示させるようにプログラムされたマイクロプロセッサーチップをさらに備えることを特徴とする前記１４に記載の中空の構造用のガラスブロック。
１６．前記デバイスが、中空の構造用のガラスブロックの外部表面を横切る物体の動きを検出して前記デバイスにより生成されるイルミネーションを前記動きに応答して変化させる透明な薄膜静電容量センサーをさらに備えることを特徴とする前記１４に記載の中空の構造用のガラスブロック。
１７．ｎ層の透明なガラス層とｎ−１層の透明で固体状のガラスでない中間層とを備えた構造用の積層ガラスブロックであって、ｎ≧２であり、すべての前記透明ガラス層およびすべての前記透明で固体状のガラスでない中間層が、本質的に同一の辺寸法を有し、隣接する前記透明なガラス層が、前記透明で固体状のガラスでない中間層のうちの１つにより分離されており、かつ前記透明なガラス層および透明で固体状のガラスでない中間層のうちの少なくとも１つが、前記構造用の積層ガラスブロックの２つの隣接した面で他の前記層を越えて伸びているように配置されていることを特徴とする構造用の積層ガラスブロック。
１８．前記固体状のガラスでない中間層が、ＳｅｎｔｒｙＧｌａｓ（登録商標）Ｐｌｕｓ  ｉｏｎｏｐｌａｓｔ中間層またはポリビニルブチラールを含むことを特徴とする前記１７に記載の構造用の積層ガラスブロック。
１９．前記１７に記載のいずれかの構造用の積層ガラスブロックを備えることを特徴とする、ガラス壁または窓。
２０．前記固体状のガラスでない中間層のうちの少なくとも１つが、固体状態のライティング、熱センサー、光センサー、圧力センサー、薄膜静電容量センサー、光電池、薄膜電池、液晶表示フィルム、懸濁粒子デバイスフィルム、および透明な導電体よりなる群から選択される少なくとも１つの要素を備えたデバイスを収容していることを特徴とする前記１７に記載のいずれかの構造用の積層ガラスブロック。
２１．前記デバイスが、前記固体状態のライティングを制御して前記固体状態のライティングにより一連の画像を表示させるようにプログラムされたマイクロプロセッサーチップをさらに備えることを特徴とする前記２０に記載の構造用の積層ガラスブロック。
２２．前記２０に記載の構造用の積層ガラスブロックを備えることを特徴とする、ガラス壁または窓。
２３．（ａ）安全上の問題の存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする安全イルミネーションシステム。
２４．（ａ）煙の存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする煙を検出する安全イルミネーションシステム。
２５．（ａ）ガスの存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とするガスを検出する安全イルミネーションシステム。
２６．（ａ）動きの存在を検出するセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする動きを検出する安全イルミネーションシステム。
２７．（ａ）光を感知するデバイスを備えたセンサーと、
（ｂ）少なくとも１つの有機発光ダイオードを備えたイルミネーションデバイスと、
（ｃ）前記イルミネーションデバイスの前記少なくとも１つの有機発光ダイオードに電圧を印加して前記イルミネーションデバイスを作動させることにより所望のイルミネーションを提供するように、前記センサーから前記イルミネーションデバイスに信号を伝達する手段と
を備えることを特徴とする停電を検出する安全イルミネーションシステム。